(57)【要約】【課題】複数系統の音声が異なるトラックに記録されており、各トラックは複数のセグメントに分割され、各セグメントに音声メッセージが記録されるようになっている音声多重トラックコンテンツを再生するための音声多重トラックコンテンツ再生装置であって、操作ボタンの数を少なく抑えつつ、且つ一回のボタン押下でトラックの切換が可能なものを提供することである。【解決手段】本発明の音声多重トラックコンテンツ再生装置においては、装置のケースの表面に、異なるトラックに記憶された音声メッセージを再生するためのトラック数より少ない複数の再生ボタンが設けられており、複数の再生ボタンの各々がどのトラックを再生すべきかを設定するための設定手段をさらに備えた。【選択図】  図１
2008096491.tif 000002
【特許請求の範囲】
【請求項１】
複数系統の音声が異なるトラックに記録されており、各トラックは複数のセグメントに分割され、各セグメントに音声メッセージが記録されるようになっている音声多重トラックコンテンツを再生するための音声多重トラックコンテンツ再生装置であって、
音声多重トラックコンテンツが記憶される記憶手段と、
前記記憶手段から該音声多重トラックコンテンツの任意のセグメントから音声メッセージを読み出して、これを音声に変換して出力するプロセッサと、
前記記憶手段と、前記プロセッサとを収めたケースと、を有し、
前記ケースの表面には、異なるトラックに記憶された音声メッセージを再生するための該トラックの数より少ない複数の再生ボタンが設けられており、
音声多重トラックコンテンツ再生装置は、前記複数の再生ボタンの各々がどのトラックを再生すべきかを設定するための設定手段を備えている、
ことを特徴とする音声多重トラックコンテンツ再生装置。
【請求項２】
あるトラックのあるセグメントに記憶されている音声メッセージは異なるトラックのセグメントに記憶される音声メッセージと対応するよう構成されており、あるトラックのあるセグメントに記憶されている音声メッセージが再生されている時に複数の再生ボタンのいずれかを押すと、現在再生されているセグメントに対応し且つ押された再生ボタンに関連づけられたトラックのセグメントに記憶されている音声メッセージが再生される、ことを特徴とする請求項１に記載の音声多重トラックコンテンツ再生装置。
【請求項３】
該音声メッセージは、トラックごとに異なる言語で発音されたものが収録されている、ことを特徴とする請求項１又は２に記載の音声多重トラックコンテンツ再生装置。
【請求項４】
前記音声多重トラックコンテンツ再生装置は、前記プロセッサが前記ケースに内蔵されているバッテリーによって駆動される携帯型の再生装置である、ことを特徴とする請求項１から３のいずれかに記載の音声多重トラックコンテンツ再生装置。
【請求項５】
前記記憶手段は、前記音声多重トラックコンテンツ再生装置に対して着脱可能なフラッシュメモリである、ことを特徴とする請求項１から４のいずれかに記載の音声多重トラックコンテンツ再生装置。
【請求項６】
前記設定手段は、該設定を行うための設定モードとトラックの再生を行うための再生モードとを切り換えるモード切換手段と、特定の再生ボタンに割り当てるトラックを選択するためのトラック選択手段と、前記トラック選択手段による選択結果に基づいて特定の再生ボタンに割り当てるトラックを確定する確定手段と、を有する、ことを特徴とする請求項１から５のいずれかに記載の音声多重トラックコンテンツ再生装置。
【請求項７】
前記確定手段は前記複数の再生ボタンであり、前記トラック選択手段によってトラックが選択された状態で前記複数の再生ボタンのいずれかが押下されると、前記トラック選択手段によって選択されているトラックが押下された再生ボタンに割り当てられる、ことを特徴とする請求項６に記載の音声多重トラックコンテンツ再生装置。
【請求項８】
前記トラック選択手段は、該再生モード時においては再生するセグメントを変更するためのセグメント選択手段である、ことを特徴とする請求項６または７に記載の音声多重トラックコンテンツ再生装置。
【発明の詳細な説明】
【技術分野】
【０００１】
本発明は、音声多重トラックコンテンツを再生するための音声多重トラックコンテンツ再生装置に関する。
【背景技術】
【０００２】
複数のトラックのそれぞれに複数種類の言語で音声が録音された音声多重トラックコンテンツが記録された記憶媒体と、このコンテンツの中から所望の言語の音声を再生する装置とからなるシステムが提案されている（例えば特許文献１）。このようなシステムは、語学の学習用途に有用である。すなわち、トラックごとに異なる言語で同一内容のメッセージを収録するようなコンテンツを用いれば、言語習得者は、母国語で収録されたメッセージと、習得しようとする言語で収録されたメッセージとを選択し、それらを聴き比べることによって効果的に言語の学習を行うことができる。特に、コンテンツに３種類以上の言語が収録されている場合は、異なる言語を母国語とする不特定多数の利用者に対して、様々な言語を学習するための教材を提供できる。
【特許文献１】特開平９−１４６５９１号
【０００３】
近年、フラッシュメモリ等の不揮発性の書き換え型メモリの大容量化、低価格化が進み、このようなメモリを上述のような音声多重トラックコンテンツ用の記憶媒体として使用することが充分可能な状況となっている。動作させるために発光部や駆動部を必要としない不揮発性メモリは低消費電力であるので、不揮発性メモリを記憶媒体として使用すると、小型のバッテリーで長時間動作させることが可能な携帯型の再生装置が提供可能となる。
【発明の開示】
【発明が解決しようとする課題】
【０００４】
このような再生装置で言語学習を行う場合、利用者は、母国語の音声メッセージが収録されたトラックと、習得しようとする言語（以下、学習言語と呼ぶ）の音声メッセージが収録されたトラックとを頻繁に切り換えることになる。さらに、母国語と、学習言語と、ある程度習得できており且つ学習言語に近い言語が収録された各トラックを切り換えて学習を行う、という使用方法も考えられる。例えば、日本語を母国語とし、且つある程度英語を理解している利用者が、ドイツ語を習得しようとする場合に、日本語のトラックに収録された音声を聞いて内容を理解しつつ、英語とドイツ語のトラックに収録された音声を聴き比べることにより、ドイツ語をより効率よく学習することができる。
【０００５】
従来の携帯型の再生装置においては、トラックを切り換える場合には、再生するトラックを順番に切り換えるボタンを用いるものがある。例えば、トラックが５つある音声多重トラックコンテンツのトラック１を再生している時にボタンを押すと、トラック１の再生を中止してトラック２の再生が始まり、ここでもう一度ボタンを押すとトラック３の再生が始まる。また、トラック５が再生されている時にボタンを押すと、トラック１の再生が始まるようになっている。このように、ボタンを押すたびに再生されるトラックが１→２→３→４→５→１→２・・・とサイクリックに順次切り替わる。
【０００６】
或いは、特許文献１の構成のように、再生するトラックを選択するための選択モードと選択されたトラックの音声を再生するための再生モードを切り換える選択ボタンを備え、選択モード時に、再生するトラックを順方向に切り換えるボタン（スキップボタン）と、逆方向に切り換えるボタン（バックスキップボタン）とを操作して所望のトラックを選択するものもある。なお、再生モード時はスキップボタンは同一トラック内で再生する音声メッセージをスキップしたり、スキップバックしたりする時に使用する。
【０００７】
このように、従来の携帯型の再生装置においては、所望のトラックに切り換えるまでにボタンを複数回押さねばならなかった。例えば、トラック１に日本語、トラック２に英語、トラック３にフランス語、トラック４にドイツ語、トラック５に中国語が収録されているような音声多重トラックコンテンツにおいて、トラック１とトラック２、トラック４とを適宜切り換えて利用したい場合は、切り換えようとするたびに複数回ボタンを押す必要がある場合があり、学習を行う際の効率があまりよいとはいえなかった。
【０００８】
また、トラックの数だけ切換ボタンを用意し、特定のボタンを押すと特定のトラックに切り替わる構成とすることも考えられるが、携帯型の再生装置においてボタンを多数配置しようとすると、ボタンの一つ一つが小さくならざるを得ず、操作性が悪化するという問題があった。
【０００９】
本発明は上記の問題を解決するためになされたものであり、ボタンの数を少なく抑えつつ、且つ一回のボタン押下でトラックの切換が可能な音声多重トラックコンテンツ再生装置を提供することを目的とする。
【課題を解決するための手段】
【００１０】
上記の目的を達成するため、本発明の音声多重トラックコンテンツ再生装置においては、装置のケースの表面に、異なるトラックに記憶された音声メッセージを再生するための該トラックの数より少ない複数の再生ボタンと、前記複数の再生ボタンの各々がどのトラックを再生すべきかを設定するための設定手段と、が設けられている。
【００１１】
このような構成とすると、利用者は、所望の複数のトラックの各々の再生を行うためのボタンを複数の再生ボタンに割り当てて使用することができる。よって、利用者は、再生ボタンを一回押すだけで所望のトラックを再生できるようになる。また、全てのトラックに対応するだけの再生ボタンをケースに設けないので、ケースに設けるボタンの数を必要以上に多くする必要はない。例えば、本装置の用途が語学学習であれば、再生ボタンの数は３つあれば充分といえる。このため、小型の再生装置であっても個々のボタンの大きさを充分に大きくすることができる。
【００１２】
また、あるトラックのあるセグメントに記憶されている音声メッセージは異なるトラックのセグメントに記憶される音声メッセージと対応するよう構成されており、あるトラックのあるセグメントに記憶されている音声メッセージが再生されている時に複数の再生ボタンのいずれかを押すと、現在再生されているセグメントに対応し且つ押された再生ボタンに関連づけられたトラックのセグメントに記憶されている音声メッセージが再生されるよう構成しても良い。
【００１３】
このような構成とすると、互いに関連する内容の音声メッセージ、例えば同一内容且つ異なる言語で録音されたメッセージを適宜切換えながら利用することが可能となる。
【００１４】
また、設定手段は、設定を行うための設定モードとトラックの再生を行うための再生モードとを切り換えるモード切換手段と、特定の再生ボタンに割り当てるトラックを選択するためのトラック選択手段と、トラック選択手段による選択結果に基づいて特定の再生ボタンに割り当てるトラックを確定する確定手段と、を有する。ここで、確定手段は前記複数の再生ボタンであり、トラック選択手段によってトラックが選択された状態で複数の再生ボタンのいずれかが押下されると、トラック選択手段によって選択されているトラックが押下された再生ボタンに割り当てられる構成としてもよい。また、トラック選択手段は、再生モード時においては再生するセグメントを変更するためのセグメント選択手段であってもよい。このように、確定手段やトラック選択手段は、トラックの再生時に使用されるボタン等と共通化できるため、再生ボタンにトラックを割り当てるという本発明の機能を実現するために追加すべき手段はモード切換手段のみである。
【発明の効果】
【００１５】
以上のように、本発明によれば、ボタンの数を少なく抑えつつ、且つ一回のボタン押下でトラックの切換が可能な音声多重トラックコンテンツ再生装置が実現される。
【発明を実施するための最良の形態】
【００１６】
以下、本発明の実施の形態につき、図面を参照して詳細に説明する。図１は、本実施形態の音声多重トラックコンテンツ再生装置の外観を示したものである。図１に示されるように、本実施形態の再生装置１は、略長方形状のケース１２の表面に、複数のボタン３１、３２、３４Ｂ、３４Ｆ、Ｂ１〜Ｂ３、液晶ディスプレイ３７、ヘッドホンコネクタ３８が配置されている。図１に示されているように、液晶ディスプレイ３７は、ケース１２の６面の内、最も面積の大きな面１２ａに、一方の側に寄せて形成されている。また、この面の他方の側には、第１〜第３再生ボタンＢ１〜Ｂ３、設定ボタン３２が配置されている。以下の説明においてはこの面をケース正面１２ａと定義し、ケース正面１２ａのうち、液晶ディスプレイ３７が配置されている側を再生装置の上側、第１〜第３再生ボタンＢ１〜Ｂ３や設定ボタン３２が配置されている側を下側と定義する。また、通常の使用時（液晶ディスプレイ３７を上、第１〜第３再生ボタンＢ１〜Ｂ３や設定ボタン３２を下に置いた時）の左右方向を、「左」「右」と夫々定義する。この定義に準じ、通常使用時（液晶ディスプレイ３７を上、第１〜第３再生ボタンＢ１〜Ｂ３や設定ボタン３２を下に置いた時）にケース正面の左及び下に隣接する面１２ｂ及び面１２ｃは、以下の説明では「左側面１２ｂ」「下側面１２ｃ」と夫々定義される。
【００１７】
本実施形態の再生装置１は、再生装置１に接続されたフラッシュメモリカードから音声多重トラックコンテンツを読み出して再生するものである。本実施形態においては、ケース左側面１２ｂに形成されたメモリカードスロット３５にフラッシュメモリカードＭを差し込むことによって、メモリカードＭが接続されるようになっている。
【００１８】
また、ケース左側面１２ｂに形成されているヘッドホンジャック３８にヘッドホンのプラグを差し込むことによって、再生装置１の利用者は、音声多重トラックコンテンツに含まれる音声メッセージを聴くことができる。
【００１９】
なお、ケース左側面１２ｂには電源ボタン３１が設けられており、この電源ボタン３１を２秒以上押し続けることによって、利用者は再生装置１の起動／終了を行うことができる。
【００２０】
第１〜第３再生ボタンＢ１〜Ｂ３は、音声多重トラックコンテンツの所定のトラックの再生を開始するためのボタンである。音声メッセージの再生中にこれらのボタンが押下された場合は、再生するトラックを、押下された再生ボタンに関連づけられたトラックに変更する。なお、どの再生ボタンにどのトラックを割り当てるのかは、設定ボタン３２を押すことによって開始する設定モードを用いて、利用者が自由に設定することができる。
【００２１】
ケース正面１２ａにおいて、液晶ディスプレイ３７の左右には、バックスキップボタン３４Ｂ、スキップボタン３４Ｆが夫々配置されている。本実施形態においては、音声多重トラックコンテンツの各トラックは、夫々複数のセグメントに分割され、このセグメントの各々に音声メッセージが記録されている。利用者は、バックスキップボタン３４Ｂ及びスキップボタン３４Ｆを操作して再生を行うセグメントを選択することができる。また、バックスキップボタン３４Ｂ及びスキップボタン３４Ｆは、設定モード時にも使用される。
【００２２】
本実施形態の再生装置１のブロック図を図２に示す。本実施形態においては、再生装置１の動作は、プロセッサ４１によって制御されるようになっている。プロセッサ４１は、ＣＰＵ、ＲＡＭ、ＲＯＭを備えている。すなわち、プロセッサ４１による各種処理は、ＲＯＭに格納されているプログラムをＣＰＵが読み出してＲＡＭに展開し、これを実行することによってなされる。なお、ＲＡＭはＣＰＵがプログラムを実行する際のワークエリアとしても使用される。
【００２３】
プロセッサ４１は、カードＩ／Ｆ４４、ボタンＩ／Ｆ４５、画像処理回路４６、Ｄ／Ａコンバータ４７と接続されている。カードＩ／Ｆ４４は、カードスロット３５に装着されたメモリカードＭと接続されるようになっており、プロセッサ４１はカードＩ／Ｆを制御してメモリカードＭから、音声多重トラックコンテンツなどのデータを読み取ることができる。ボタンＩ／Ｆはボタン３１、３２、Ｂ１〜Ｂ３、３４Ｂ、３４Ｆと接続されており、ボタンが押されたかどうかの判定結果をプロセッサ４１に送信することができる。画像処理回路４６は、液晶ディスプレイ３７を制御するためのデバイスである。プロセッサ４１は、この画像処理回路４６を制御することによって液晶ディスプレイ３７に所望の文字情報を表示させることができる。Ｄ／Ａコンバータ４７は、プロセッサ４１から送信されるディジタルの音声信号をアナログの音声信号に変換し、これをヘッドホンジャック３８に送る。すなわちプロセッサ４１がディジタルの音声信号をＤ／Ａコンバータ４９に送ることによって、ヘッドホンジャック３８に接続されたヘッドホンを介して音声メッセージを聴くことができる。
【００２４】
なお、プロセッサ４１、カードＩ／Ｆ４４、ボタンＩ／Ｆ４５、画像処理回路４６及びＤ／Ａコンバータ４７は共にケース１２内に収納されている。
【００２５】
本実施形態における再生装置１は、小型且つ携帯型の再生装置であり、ケース１２に内蔵されたバッテリー４２によって駆動される。バッテリー４２は、リチウムイオン電池等の二次電池である。すなわち、バッテリー４２は充電回路４３と接続されており、且つ充電回路４３は、ケース１２の下側面１２ｃに設けられた電源コネクタ３９と接続されている。従って、ＡＣアダプタなどの外部電源を電源コネクタ３９に接続することによって、バッテリー４２を充電することができる。また、外部電源が電源コネクタ３９に接続されている時は、この外部電源で再生装置１を駆動させることができる。
【００２６】
次いで、本実施形態による音声多重トラックコンテンツのデータ構造につき説明する。図３は、本実施形態の音声多重トラックコンテンツのメモリマップの概略である。音声多重トラックコンテンツの先頭部分には、ヘッダデータを格納するための第１フィールドが定められている。第１フィールドに続いて配置されている第２フィールドには、各セグメントのデータサイズが格納されている。そして、第２フィールドに続いて配置されている第３フィールドには、各セグメントの実データが格納されている。
【００２７】
本実施形態の音声多重トラックコンテンツは、トラック数、１トラックあたりのセグメント数、各セグメントの大きさが可変である（ただし、セグメント数はどのトラックでも同じである）。そのため、トラック数、セグメント数がヘッダデータとして格納されるようになっている。
【００２８】
第２フィールドに格納されている各セグメントのデータサイズ情報は、トラック数をｎ、セグメント数をｍとすると、一番目のトラック（トラックＡ）の先頭のセグメント（セグメント１）のデータサイズ、二番目のトラック（トラックＢ）の先頭のセグメント（セグメント１）のデータサイズ、・・・、ｎ番目のトラックの先頭のセグメントのデータサイズ、一番目のトラックの二番目（セグメント２）のデータサイズ、二番目のトラックの二番目（セグメント２）のデータサイズ、・・・、ｎ番目のトラックのｍ番目のセグメントのデータサイズ、という順番で配列されている。同様に、第３フィールドに格納されている各セグメントの実データは、一番目のトラック（トラックＡ）の先頭のセグメント（セグメント１）のデータ、二番目のトラック（トラックＢ）の先頭のセグメント（セグメント１）のデータ、・・・、ｎ番目のトラックの先頭のセグメントのデータ、一番目のトラックの二番目（セグメント２）のデータ、二番目のトラックの二番目（セグメント２）のデータ、・・・、ｎ番目のトラックのｍ番目のセグメントのデータ、という順番で配列されている。なお、図３の例においては、ｎ＝６である音声多重トラックコンテンツを想定している。
【００２９】
第２フィールドにおける各セグメントのデータサイズ情報は夫々４バイトの固定長である。従って、第２フィールドのサイズは、（ｍ×ｎ×４）バイトとなる。それ故に、第１フィールドに格納されているトラック数ｎ、セグメント数ｍを取得することにより、第２フィールドの先頭のアドレスから第３フィールドの先頭のアドレスへのオフセットを取得することができる。また、第２フィールドの先端のアドレスからあるトラックのあるセグメントのデータサイズが格納されているアドレスへのオフセットは、（（４×ｎ×（セグメント番号−１））＋４×（トラック番号−１））バイトである。
【００３０】
さらに第３フィールドの先頭のアドレスからあるトラックのあるセグメントの実データの先頭へのオフセットは、最初のセグメントから所望のセグメントの直前のセグメントまでのデータ長の合計と等しいので、所望のセグメントのデータサイズ情報が格納されているアドレスが判明すれば一意に計算可能である。
【００３１】
なお、第２フィールドは第１フィールドに続いて配置されているので、第１フィールドを固定長とする、或いは第１フィールドの末端を示すマーカーを検出することによって、第２フィールドの先頭のアドレスは容易に取得可能である。
【００３２】
以上の演算を行うことによって、所望のセグメントの実データが格納されているアドレスを抽出可能となっている。
【００３３】
以上の構成を備えた再生装置１において、音声多重トラックコンテンツを利用する手順につき、以下説明する。まず、メモリカードＭをカードスロット３５に装着し、次いで電源ボタン３１を２秒以上押し続けて再生装置１を起動する。
【００３４】
再生装置１が起動すると、プロセッサ４１（図２）は、メモリカードＭに格納されている音声多重トラックコンテンツをオープンする。そして、音声多重トラックコンテンツの第１フィールド（図３）からトラック数ｎ、セグメント数ｍを読み出す。次いで、このトラック数ｎ、セグメント数ｍを用いて第２フィールドのデータサイズ情報の読み取りを行って、各セグメント毎の実データの先頭アドレスを演算し、これをメモリ内に保存する。
【００３５】
この後、再生ボタンＢ１〜Ｂ３（図１、２）のいずれかを押すと、そのボタンに関連づけられたトラックのセグメント１の実データの先頭のアドレスをメモリから抽出し、次いでそのアドレスから始まる実データを読み出してこれをディジタルの音声信号に変換し、これをＤ／Ａコンバータ４７に送る。次いで、当該トラックの続くセグメントの実データを同様の手順で順次読み出して音声信号に変換し、これをＤ／Ａコンバータ４７に送る。かくして、再生ボタンＢ１〜Ｂ３を押すことによって所望のトラックの音声メッセージは先頭のセグメントから順番に再生される。なお、ボタンとトラックの関連づけについては後述する。
【００３６】
再生中にボタンが押された時の挙動につき、以下説明する。図４は、音声多重トラックコンテンツのセグメントを、トラック毎にまとめて示したものである。以下の説明においては、第１再生ボタンＢ１にトラックＡが、第２再生ボタンＢ２にトラックＢが、第３再生ボタンＢ３にトラックＣが夫々割り当てられているものとする。なお、本実施形態の音声多重トラックコンテンツのトラック数は４以上であるが、図４においてはトラックＡ、Ｂ、Ｃの３つのみが示されている。
【００３７】
例えば、トラックＡのセグメント３の再生が行われている最中にスキップボタン３４Ｆが押されると、一旦再生が停止し、現在再生しているセグメントの次のセグメント、すなわちトラックＡのセグメント４の再生が行われる（処理Ｐ１）。このセグメントの再生が終了すると、それに続くセグメントの実データの再生が順次行われる。また、トラックＡのセグメント３の再生が行われている最中にバックスキップボタン３４Ｌが押されると、一旦再生が停止し、現在再生しているセグメントの前のセグメント、すなわちトラックＡのセグメント２の再生が行われる（処理Ｐ２）。このセグメントの再生が終了すると、それに続くセグメントの実データの再生が順次行われる。従って、再生中にスキップボタン３４Ｒ及びバックスキップボタン３４Ｌを操作することによって、あるトラック中で再生するセグメントを適宜選択することができる。
【００３８】
また、再生が行われている最中に再生ボタンＢ１〜Ｂ３が押されると、一旦再生が停止し、現在再生されているセグメントのセグメント番号は変えずに、トラックが再生ボタンに関連づけられたものに変わる。例えばトラックＡのセグメント５が再生されている時に第２再生ボタンＢ２が押されると、このボタンに関連づけられたトラックＢのセグメント５が再生される（処理Ｐ３）。本実施形態においては、各トラックにおいて同一のセグメント番号を有するセグメントに収録される音声メッセージは同一内容であるが、トラックごとに異なる言語で収録されている。例えばトラックＡが日本語、トラックＢが英語、トラックＣがフランス語である時、トラックＡのセグメント６が「こんにちは」という日本語の音声メッセージであれば、トラックＢのセグメント６は「Ｈｅｌｌｏ」という英語の音声メッセージであり、トラックＣのセグメント６は「Ｂｏｎｊｏｕｒ」というフランス語の音声メッセージである。従って、再生中に再生ボタンを操作することによって、同一内容の音声メッセージを異なる言語で聴くことができる。
【００３９】
本実施形態においては、どの再生ボタンにどのトラックを割り当てられるのかは、設定ボタン３２を２秒以上押し続けた時に実行される設定モードから行うことができる。以下、その手順につき説明する。
【００４０】
設定ボタン３２を２秒以上押し続けたことをボタンＩ／Ｆ４５を介してプロセッサ４１が検出すると、図５のような設定画面が液晶ディスプレイ３７に表示される。設定画面には、各トラックの一覧と、各トラックの音声の言語と、トラックに割り当てられているボタン名が、一行に一トラックずつ表示されている。図５の例においては、トラックはＡ〜Ｆの６つであり、トラックＡに第１再生ボタンＢ１が、トラックＢに第２再生ボタンＢ２が、トラックＣに第３再生ボタンＢ３がそれぞれ割り当てられている。なお、どのトラックの音声データがどの言語であるかは、音声多重トラックコンテンツの第１フィールド（図３）に収録されている。すなわち、設定ボタンを２秒以上押し続けたことをボタンＩ／Ｆ４５を介してプロセッサ４１が検出すると、プロセッサ４１は音声多重トラックコンテンツの第１フィールドにアクセスし、トラック数と各トラックの言語情報を読み出し、これに基づいて図５の設定画面を作成し、画像処理回路４６を制御して図５のような設定画面を表示させる。なお、どの再生ボタンにどのトラックが割り当てられているかの初期情報はプロセッサ４１のＲＯＭに記憶されている。
【００４１】
また、トラックＡが表示されている行には、カーソルＣが表示されている。カーソルＣの表示される行はスキップボタン３４Ｆ及びバックスキップボタン３４Ｂを操作することによって変更可能である。換言するならば、スキップボタン３４Ｆ及びバックスキップボタン３４Ｂを操作することによってカーソルＣを上下に移動可能である。例えば、図５の状態からスキップボタン３４Ｆを４回押すと、図６のようにカーソルＣはトラックＥの位置に移動する。
【００４２】
ここで、図６の状態で第１再生ボタンＢ１を押すと、図７のようにトラックＡへの割り当てがクリアされ、カーソルＣのあるトラックＥに第１再生ボタンＢ１が割り当てられる。また、図５の状態から第２再生ボタンＢ２を押すと、図８のようにカーソルＣのあるトラックＡに第２再生ボタンＢ２が割り当てられ、代わりに今まで第２再生ボタンＢ２が割り当てられていたトラックＢに第１再生ボタンＢ１が割り当てられる。
【００４３】
そして、所望のトラックに再生ボタンＢ１〜Ｂ３が割り当てられた後、設定ボタン３２を２秒以上押し続けると、設定モードが終了し、以降はこの設定内容で再生ボタンＢ１〜Ｂ３と再生されるトラックが関連づけられる。そして、この関連づけの情報は、プロセッサ４１のＲＡＭに記憶され、以降はこの設定内容に基づいて、再生ボタンＢ１〜Ｂ３を押した時に再生されるトラックが決定される。
【００４４】
なお、本実施形態においては、音声多重トラックコンテンツはメモリカードＭに記憶されているが、再生装置１のケース１２に内蔵されたハードディスクやフラッシュメモリなどの書き換え可能なストレージやＲＯＭに音声多重トラックコンテンツが格納されている構成としてもよい。
【００４５】
また、本発明の構成は、本実施形態の再生装置１のようなバッテリーで駆動される携帯型の再生装置において特に有効であるが、据え置き型の再生装置に本発明の構成を適用しても良い。
【図面の簡単な説明】
【００４６】
【図１】本発明の実施の形態による音声多重トラックコンテンツ再生装置の外観を示した斜視図である。
【図２】本発明の実施の形態による音声多重トラックコンテンツ再生装置のブロック図である。
【図３】本発明の実施の形態の音声トラックコンテンツのメモリマップの概要である。
【図４】本発明の実施の形態の音声多重トラックコンテンツ再生装置において音声多重トラックコンテンツを再生している時の挙動を説明するための図である。
【図５】本発明の実施の形態の音声トラックコンテンツの液晶ディスプレイに表示される設定画面の一例である。
【図６】本発明の実施の形態の音声トラックコンテンツの液晶ディスプレイに表示される設定画面の一例である。
【図７】本発明の実施の形態の音声トラックコンテンツの液晶ディスプレイに表示される設定画面の一例である。
【図８】本発明の実施の形態の音声トラックコンテンツの液晶ディスプレイに表示される設定画面の一例である。
【符号の説明】
【００４７】
１    音声多重トラックコンテンツ再生装置
３２    設定ボタン
３４Ｂ  バックスキップボタン
３４Ｆ  スキップボタン
３７    液晶ディスプレイ
４１    プロセッサ
Ｂ１    第１再生ボタン
Ｂ２    第２再生ボタン
Ｂ３    第３再生ボタン
【図１】
2008096491.tif 000003
【図２】
2008096491.tif 000004
【図３】
2008096491.tif 000005
【図４】
2008096491.tif 000006
【図５】
2008096491.tif 000007
【図６】
2008096491.tif 000008
【図７】
2008096491.tif 000009
【図８】
2008096491.tif 000010